(57)【要約】【課題】  簡易な構成により、レーザ発光素子を冷却する。【解決手段】  それぞれ発光体２５を支持するピンＰ１の端部が外部へ突出した複数のレーザ発光素子２ａ〜２ｃを、ハウジング１１に取り付けた光源装置２０であって、複数のレーザ発光素子の内の端に配置されるレーザ発光素子２ａ、２ｃを、当該レーザ発光素子の中心より端側にピンＰ１が位置するようにハウジング１１に取り付けた。したがって、発光体の発熱は外部へ突出したピンＰ１に伝達されて放熱され、この際に、複数のレーザ発光素子間でピンＰ１が離間していることから、ピンＰ１からの放熱が効率よくなされる。【選択図】  図５
2014115487.tif 000002
【特許請求の範囲】
【請求項１】
それぞれ発光体を支持するピンの端部が外部へ突出した複数のレーザ発光素子を、ハウジングに取り付けた光源装置において、
前記複数のレーザ発光素子の内の端に配置されるレーザ発光素子を、当該レーザ発光素子の中心より端側に前記ピンが位置するように前記ハウジングに取り付けたことを特徴とする光源装置。
【請求項２】
請求項１に記載の光源装置において、
前記レーザ発光素子は３個以上設けられ、
２個のレーザ発光素子の前記ピンを繋ぐ直線上から外れた位置に、他のレーザ発光素子の前記ピンが位置するように当該他のレーザ発光素子を配置したことを特徴とする光源装置。
【請求項３】
請求項１又は２に記載の光源装置において、
前記複数のレーザ発光素子の内の最大発熱量のレーザ発光素子を前記ハウジングの端部に配置し、当該レーザ発光素子の前記ピンを当該ハウジングの端部側に配置したことを特徴とする光源装置。
【請求項４】
請求項１又は２に記載の光源装置において、
前記複数のレーザ発光素子の内の最大発熱量のレーザ発光素子を前記ハウジングの体積が大きい側に配置し、当該レーザ発光素子の前記ピンを当該ハウジングの体積が大きい側に配置したことを特徴とする光源装置。
【請求項５】
請求項１又は２に記載の光源装置において、
前記複数のレーザ発光素子の内の最大発熱量のレーザ発光素子を前記ハウジングの表面積が大きい側に配置し、当該レーザ発光素子の前記ピンを当該ハウジングの表面積が大きい側に配置したことを特徴とする光源装置。
【請求項６】
請求項１又は２に記載の光源装置において、
前記複数のレーザ発光素子の内の最大発熱量のレーザ発光素子を前記ハウジングの構造が複雑な部分側に配置し、当該レーザ発光素子の前記ピンを当該ハウジングの構造が複雑な部分側に配置したことを特徴とする光源装置。
【請求項７】
請求項３乃至６のいずれか１項に記載の光源装置において、
前記レーザ発光素子は３個以上設けられ、
２番目に大きい発熱量のレーザ発光素子を、前記最大発熱量のレーザ発光素子との間に他のレーザ発光素子を介在させて配置したことを特徴とする光源装置。
【請求項８】
それぞれ発光体を支持するピンの端部が外部へ突出した複数のレーザ発光素子をハウジングに取り付けた光源装置を有し、当該レーザ発光素子が発光した光を走査することにより画像を表示する画像表示装置において、
前記複数のレーザ発光素子の内の端に配置されるレーザ発光素子を、当該レーザ発光素子の中心より端側に前記ピンが位置するように前記ハウジングに取り付けたことを特徴とする画像表示装置。
【請求項９】
請求項８に記載の画像表示装置において、
前記ハウジングは、前記レーザ発光素子が発光した光を走査する走査ミラーを収容しており、
前記複数のレーザ発光素子の内の最大発熱量のレーザ発光素子を前記ハウジングの前記走査ミラーを収容する部分側に配置し、当該レーザ発光素子の前記ピンを当該ハウジングの走査ミラーを収容する部分側に配置したことを特徴とする画像表示装置。
【発明の詳細な説明】
【技術分野】
【０００１】
本発明は、ハウジングに複数のレーザ発光素子を取り付けた光源装置に関する。
【背景技術】
【０００２】
レーザ光源装置は、種々な装置の光源として利用されるが、例えば、カラー光源を得るために、赤色成分（Ｒ）、緑色成分（Ｇ）、青色成分（Ｂ）のそれぞれのレーザ発光素子をハウジングに取り付けたレーザ光源装置が知られている。
このような光源装置は、例えばレーザプロジェクタに代表されるように、カラーレーザ光を走査して投射面に投射することによって、投射面上に画像を表示する各種の画像表示装置に光源として利用されている。
【０００３】
特許文献１には、光量を上げて画面を明るくした場合に、発熱によりプロジェクタの光軸がズレで発生する画質の劣化を防ぎ、冷却系をコンパクトにすることで、携帯性を損なわせないプロジェクタを提供するため、各光源からの光の光軸を同一軸線上にあうようにレーザーダイオードと光学素子の位置と角度を調整して筐体に固定した後、レーザーダイオードの稼動時に発生する熱により筐体の温度が上昇して筐体の歪みによる合わせた光軸にズレが発生するのを防ぐために、筐体から僅かな空隙を介して宙に浮いた状態にした冷却構造を伝熱構造を支持梁として筐体に固定し、その冷却構造の温度を筐体温度に対して低くして、筐体外周壁に固定した発熱源である光源から発生した熱量を冷却構造に吸上げ、筐体に流れ込む熱量を少なく抑えるプロジェクタが記載されている。
【０００４】
特許文献２には、ヒートシンクと複数の半導体発光素子の本体部との接触面積を大きくすることができ、複数の半導体発光素子の冷却効率を上げることができる光源装置及びプロジェクタを提供するため、光源装置は、複数の半導体発光素子である励起光源と、励起光源の周縁を保持する保持部材である光源保持体と、複数の励起光源のリード端子と電気的に接続させる基板と、励起光源の本体部と当接するヒートシンクと、を備え、励起光源は、各々、底部に対し垂直方向に延伸したリード端子を複数具備し、基板は、その基板の面が複数のリード端子のうち少なくとも２つのリード端子に当接するように、励起光源の底部に対して垂直に配置され、リード端子と電気的に接続されている光源装置及びプロジェクタが記載されている。
【先行技術文献】
【特許文献】
【０００５】
【特許文献１】特開２０１０−１０７７５１号公報
【特許文献２】特開２０１２−９７６０号公報
【発明の概要】
【発明が解決しようとする課題】
【０００６】
光源装置に用いられるレーザ発光素子には、一般的にレーザダイオード（ＬＤ：Laser Diode）と称せられる半導体レーザが用いられるが、このようなレーザ発光素子は発光に応じて発熱することが広く知られている。
また、このようなレーザ発光素子は、その発光量（出力）や発光色などのより、発熱量が異なることも広く知られている。
更に、複数のレーザ発光素子を備えた光源装置では、合成光の色合いなどの必要性から、各レーザ発光素子の出力を異ならせることがあり、これによって、各レーザ発光素子の発熱量が異なることもある。
【０００７】
従来では、特別な冷却構造を設けたり、或いは、特別なヒートシンクを設けることで、発熱したレーザ発光素子を冷却することが行なわれていたが、光源装置の構造の複雑化や高コスト化を招き、満足のいく対応策ではなかった。
また、従来では、複数のレーザ発光素子間で発熱量が異なるという状況を考慮した対策がなされていなかった。
【０００８】
本発明は、上記従来の事情に鑑みなされたものであり、簡易な構成により、レーザ発光素子を冷却することを目的としている。
【課題を解決するための手段】
【０００９】
本発明は、それぞれ発光体を支持するピンの端部が外部へ突出した複数のレーザ発光素子を、ハウジングに取り付けた光源装置であって、前記複数のレーザ発光素子の内の端に配置されるレーザ発光素子を、当該レーザ発光素子の中心より端側に前記ピンが位置するように前記ハウジングに取り付けた。
したがって、発光体の発熱は外部へ突出したピンに伝達されて放熱され、この際に、上記のようなピンの配置により複数のレーザ発光素子間でピンが互いに離間していることから、ピンからの放熱が効率よくなされる。
ここで、発光体は、レーザ発光素子の種類に応じて、種々な材質のものであり、典型的には、駆動電流に応じて所定波長のレーザ光を発光する半導体素子である。
【００１０】
本発明では、各ピンが互いに離間する配置方法として、レーザ発光素子の個数や配置関係などに応じて種々な態様を採用することができ、例えば、レーザ発光素子が３個以上設けられている場合には、２個のレーザ発光素子のピンを繋ぐ直線上から外れた位置に、他のレーザ発光素子のピンが位置するように当該他のレーザ発光素子を配置することで、これらピンの間隔を広くすることができる。
【００１１】
また、各ピンが互いに離間する配置方法として、例えば、複数のレーザ発光素子の内の最大発熱量のレーザ発光素子を前記ハウジングの端部に配置し、当該レーザ発光素子のピンを当該ハウジングの端部側に配置するのが好ましく、これにより、他のレーザ発光素子のピンからの発熱の影響を少なくして、最大発熱量のレーザ発光素子からの熱をそのピンにより効率よく放熱させることができる。
【００１２】
また、各ピンが互いに離間する配置方法として、例えば、複数のレーザ発光素子の内の最大発熱量のレーザ発光素子をハウジングの体積が大きい側に配置し、当該レーザ発光素子のピンを当該ハウジングの体積が大きい側に配置するのが好ましく、これにより、最大発熱量のレーザ発光素子からの熱を、ピンを介してハウジングに伝え、ハウジングの熱容量を利用して効率よく冷却させることができる。
【００１３】
また、各ピンが互いに離間する配置方法として、例えば、複数のレーザ発光素子の内の最大発熱量のレーザ発光素子をハウジングの表面積が大きい側に配置し、当該レーザ発光素子のピンを当該ハウジングの表面積が大きい側に配置するのが好ましく、これにより、最大発熱量のレーザ発光素子からの熱を、ピンを介してハウジングに伝え、ハウジング表面からの放熱を利用して効率よく冷却させることができる。
【００１４】
また、各ピンが互いに離間する配置方法として、例えば、複数のレーザ発光素子の内の最大発熱量のレーザ発光素子をハウジングの構造が複雑な部分側に配置し、当該レーザ発光素子のピンを当該ハウジングの構造が複雑な部分側に配置するのが好ましく、これにより、最大発熱量のレーザ発光素子からの熱を、ピンを介してハウジングに伝え、ハウジングの熱容量や表面からの放熱を利用して効率よく冷却させることができる。
【００１５】
本発明は、２個以上のレーザ発光素子を備えた光源装置に適用されるものであるが、例えば、赤色成分（Ｒ）、緑色成分（Ｇ）、青色成分（Ｂ）といったように、３個以上のレーザ発光素子を備える場合は、２番目に大きい発熱量のレーザ発光素子を、最大発熱量のレーザ発光素子との間に他のレーザ発光素子を介在させて配置するのが好ましく、これにより、比較的高温の熱源を離間させて、全体として効率よく冷却させることができる。
【００１６】
本発明は、上記の光源装置を備えて、レーザ発光素子が発光した光を走査することにより画像を表示する画像表示装置として実現することができ、この場合にも、上記のように発光体を支持するピンを介した放熱等を利用して、レーザ発光素子を効率よく冷却させることができる。
【００１７】
また、本発明では、ハウジングにレーザ発光素子が発光した光を走査する走査ミラーを収容した画像表示装置として、複数のレーザ発光素子の内の最大発熱量のレーザ発光素子をハウジングの走査ミラーを収容する部分側に配置し、当該レーザ発光素子のピンを当該ハウジングの走査ミラーを収容する部分側に配置するのが好ましく、これによって、走査ミラーの揺動駆動による空気対流を利用して、ハウジングに伝わった熱を放熱させて、レーザ発光素子を効率よく冷却させることができる。
なお、走査ミラーとしては種々な型式のものを用いることができるが、小型化、低消費電力化、処理の高速化などで有利なＭＥＭＳ(Micro Electro Mechanical System)型の走査ミラーを用いるのが好ましい。
【発明の効果】
【００１８】
本発明によると、簡易な構成により、レーザ発光素子を冷却することができる。
【図面の簡単な説明】
【００１９】
【図１】本発明の一実施形態に係る画像表示装置の要部の構成図である。
【図２】本発明の一実施形態に係る光源装置の要部の構成図である。
【図３】本発明の一実施形態に係る光源装置のレーザ発光素子の構造を説明する断面図である。
【図４】本発明の一実施形態に係る光源装置のレーザ発光素子の配置を説明する図である。
【図５】本発明の一実施形態に係る光源装置のピンの配置を説明する図である。
【図６】本発明の一実施形態に係るレーザ発光素子の必要出力と性能を説明する図である。
【発明を実施するための形態】
【００２０】
本発明は種々な画像表示装置に適用できるものであるが、ＭＥＭＳミラーを備えたレーザプロジェクタに本発明を適用した一実施形態を説明する。
図１にその要部を示すレーザプロジェクタ１は、レーザ発光素子２ａ〜２ｃと、各種の光学素子３〜８と、受光素子（ＰＤ：Photo Diode）９と、ＭＥＭＳ走査ミラー１０と、各種の駆動・制御ユニット１２〜１６を主体に構成されている。
【００２１】
レーザプロジェクタ１は、緑色成分（Ｇ）のレーザ発光素子２ａ、青色成分（Ｂ）レーザ発光素子２ｂ、赤色成分（Ｒ）のレーザ発光素子２ｃが発光した緑、青、赤の各色成分のレーザ光を、光学素子３〜８による光路で合成した上で、走査駆動されるＭＥＭＳ走査ミラー１０が反射することで、スクリーンや壁などの投射面Ａに入力映像信号に応じたカラー画像を走査投影して表示する。
【００２２】
このレーザプロジェクタ１に備えられる光源装置２０は、レーザ発光素子２ａ〜２ｃをハウジング１１に取り付けた構成であり、本例のハウジング１１には、光学素子３〜８、ＰＤ９、ＭＥＭＳ走査ミラー１０が収容されており、ＭＥＭＳ走査ミラー１０が反射したレーザ光はハウジング１１に設けられた窓部１１ａを通して投射面Ａに投射される。
本例のレーザ光源２ａ〜２ｃは、レーザドライバ１２から個別に供給される駆動電流によって互いに独立して駆動するレーザダイオード（ＬＤ）である。
【００２３】
本例では、光路を構成する光学素子３〜５をダイクロイックミラーとしており、ダイクロイックミラー３〜５は、特定波長のレーザ光のみを透過し、それ以外を反射する。
具体的には、レーザ発光素子２ａから射出された緑成分のレーザ光はダイクロイックミラー３において反射され、この緑成分のレーザ光はレーザ発光素子２ｂから射出された青成分のレーザ光とダイクロイックミラー４において合成され、この合成されたレーザ光はレーザ発光素子２ｃから射出された赤成分のレーザ光とダイクロイックミラー５において合成される。
なお、各レーザ発光素子２ａ〜２ｃに対して、レーザ光をダイクロイックミラー３〜５に導くレンズ２ｄが設けられている。
【００２４】
そして、この合成されたレーザ光は、レンズ６で集光され、アパーチャ７で絞られて、ハーフミラー８を介してＭＥＭＳ走査ミラー１０に入射され、走査駆動される走査ミラー１０で反射されて、上記のように投射面Ａに走査投影される。
ハーフミラー８は、入射されたレーザ光の一部を透過させてＰＤ９に入射させ、ＰＤ９が検出した光量はレーザ制御部１５へ入力され、レーザ制御部１５が目標のレーザ出力が得られるように制御を行なう。
【００２５】
なお、図１では、表現の関係から、レンズ６からハーフミラー８を介して走査ミラー１０やＰＤ９へ至る光線と、走査ミラー１０から投射面Ａへ至る光線とが交差しているかのように記載されているが、これら光線は交わらないように図１の紙面に直角な方向にずれている。このような表現は、後述する図２においても同様である。
【００２６】
ＭＥＭＳ走査ミラー１０は、走査ミラー制御部１３から駆動信号が入力される走査ミラードライバ１２によって駆動走査されて、自己に入射したレーザ光を、ミラー面の振れ角（振れ幅）に応じて反射して投射面Ａ上に投射する。この走査ミラー１０は、投射面Ａの水平走査方向（Ｘ）および垂直走査方向（Ｙ）に対応した二次元的な自由度を有しており、その二次元的な変位に対応した線順次走査によって、投射面Ａ上にカラー画像を投影する。この線順次走査は、投射面Ａ上におけるある水平走査ラインで一方向にレーザスポットｐを進め、次の水平走査ラインで逆方向にレーザスポットｐを戻すことの繰り返しによって、１画像フレーム内で連続して行われる。
【００２７】
本例のレーザプロジェクタ１は、パーソナルコンピュータ等の外部から入力された映像信号に基づいて、レーザ光を走査ミラー１０により垂直走査及び水平走査して、スクリーンＡにカラー画像を投影表示するものであり、その基本的な画像投影処理は次のようにしてなされる。
映像処理部１４は、入力映像信号（映像信号及び同期信号等）に基づいて、所定の時間間隔で映像データをレーザ制御部１５に転送し、これにより、レーザ制御部１５は所定の走査位置における画素情報を得る。この映像データ転送処理では、映像処理部１４は、走査ミラー制御部１３から水平／垂直同期信号（ＨＳＮＣ、ＶＳＮＣ）として入力される水平走査位置及び垂直走査位置の情報に応じた順序で、映像データをレーザ制御部１５に転送する。
【００２８】
レーザ制御部１５は、映像データの画素情報に基づいて投影範囲に複数の画素からなる映像を投影するために、駆動電流波形信号によりレーザドライバ１６を制御する。
レーザドライバ１６は、レーザ制御部１５による制御に基づいて、各レーザ発光素子２ａ〜２ｃを駆動して発光させる。
各レーザ発光素子２ａ〜２ｃは、レーザドライバ１６から発振しきい値電流以上の電流が供給された場合にレーザ光を発光出力し、供給される電流値が大きくなるに従って光量（輝度）の大きいレーザ光を出力する。また、各レーザ発光素子２ａ〜２ｃは、発振しきい値電流未満の電流が供給された場合には、レーザ光の出力を停止する。
【００２９】
走査ミラー１０は、走査ミラードライバ１２により直交する２軸回りに駆動変位され、そのミラー面を所定の振れ角で走査変位可能な小型の振動ミラー素子であり、反射光をＸ軸方向及びＹ軸方向（水平及び垂直方向）に走査できる。
走査ミラー制御部１３は、水平／垂直同期信号に基づいて、走査ミラードライバ１２を駆動信号により制御し、走査ミラー１０は、走査ミラー制御部１３による制御に基づいて、投影範囲全体にわたってジグザグに水平及び垂直方向で走査変位をして、入射されたレーザを反射して、スクリーンＡに画像を投影させる。
【００３０】
図２には本例の光源装置２０の詳しい構成を示し、図４にはハウジング１１におけるレーザ発光素子２ａ〜２ｃの配置を示してある。
レーザ発光素子２ａ〜２ｃは、ハウジング１１に設けられるが、それぞれ支持部材２１ａ〜２１ｃを介してハウジング１１に取り付けられている。
これら支持部材２１ａ〜２１ｃは、公知のように、レーザ発光素子の取付け位置や向きを調整する部材であり、レーザ発光素子２ａ〜２ｃを設計通りの位置や向きでハウジング１１に取付ける。
【００３１】
ハウジング１１には上記のように光学素子３〜８、ＰＤ９、ＭＥＭＳ走査ミラー１０が収容されており、走査ミラー１０を収容する等の関係から、ハウジング１１の光路の下流側部分は、レーザ発光素子２ａ〜２ｃが取付けられる上流側部分より体積が大きい形状となっている。すなわち、レーザ発光素子２ａ〜２ｃが取付けられる上流側部分に比べて、ハウジング１１の光路下流側部分は、表面積が大きくなっており、また、可動部である走査ミラー１０を収容したり、その光路を設定したりすることから、ハウジング自体が入り組んだ複雑な構造となっている。
【００３２】
図３には、一部を断面して、レーザ発光素子の構成を内部構成とともに示してある。
なお、図３には、レーザ発光素子２ａを代表して示すが、他のレーザ発光素子２ｂ、２ｃの構成も同様である。
レーザ発光素子２ａは、略円板状のベースプレート２３と、ベースプレート２３に取付けられたカップ状のカバー２４と、ベースプレート２３とカバー２４とにより形成された空間に収容された発光体２５と、発光体２５を支持するためにベースプレート２３を中心からオフセットした位置で貫通して取付けられた支持ピンＰ１と、発光体２５に駆動電流を供給するためにベースプレート２３を貫通して取付けられた給電ピンＰ２、Ｐ３と、を有している。
このように、レーザ発光素子２ａは、支持ピンＰ１がレーザ発光素子２ａの中心よりずれた位置に突出している。
【００３３】
本例の発光体２５は、駆動電流に応じて所定波長のレーザ光を発光する半導体素子であり、給電ピンＰ２、Ｐ３及び給電ピンと半導体素子とを接続する電線を介して、レーザドライバ１６から供給された駆動電流が発光体２５に供給される。そして、発光体２５は駆動電流に応じて発光し、発光されたレーザ光はカバー２４の透明窓部２４ａから射出される。
【００３４】
支持ピンＰ１はその先端が台座Ｐ１ａとなっており、この台座Ｐ１ａに発光体２５は取付けられている。そして、支持ピンＰ１はその後端部がベースプレート２３からレーザ発光素子２ａの外部へ突出しており、発光体２５が発した熱は台座Ｐ１ａから支持ピンＰ１へ伝えられて、外部に突出した支持ピンＰ１の後端部から放熱される。
ここで、本例では台座Ｐ１ａは支持ピンＰ１と一体成形するが、別々に成形した台座Ｐ１ａと支持ピンＰ１とを結合させて発光体を支持するピンとしてもよく、発光体２５が支持ピンＰ１に熱伝導性をもって接続されていればよい。このような発光体を支持するピンは、熱伝導性が高い材料で形成するのが好ましく、例えば、熱伝導性が高い金属により形成する。
【００３５】
外部に突出した支持ピンＰ１の後端部から放熱効果を高めるため、図５に例示すように、レーザ発光素子２ａ〜２ｃ間で支持ピンＰ１の位置関係を工夫して、互いの支持ピンＰ１ができるだけ離間するようにレーザ発光素子２ａ〜２ｃを配置している。
図５（ａ）に示すようにＧ、Ｂ、Ｒのレーザ発光素子２ａ〜２ｃの支持ピンＰ１を横一直線上に配置した場合には、両端の支持ピンＰ１の間隔Ｌ１内に３個の支持ピンＰ１が存在する。
この例では、レーザ発光素子２ａ〜２ｃの内の端（図中の左端）に配置されるレーザ発光素子２ｃを、当該レーザ発光素子２ｃの中心より端側（図中の左端側）に支持ピンＰ１が位置するようにハウジング１１に取付けられるので、支持ピンＰ１が他の支持ピンから離間させて配置される。
【００３６】
これに対して、更に、同図（ｂ）に示すように、レーザ発光素子２ａ〜２ｃの内の他方の端（図中の右端）に配置されるレーザ発光素子２ａを１８０度回転させて配置し、その支持ピンＰ１をレーザ発光素子２ａの中心より当該端側（図中の右端側）に位置するようにハウジング１１に取付けて他の支持ピンから離間させて配置する。これにより、上記間隔Ｌ１より更にΔＸだけ長い間隔Ｌ２内に３個の支持ピンＰ１が存在することになり、互いへの影響が抑えられて状態で３個の支持ピンＰ１から発光体２５からの熱が放熱される。なお、レーザ発光素子を１８０度回転させる態様は、レーザ発光素子から射出されるレーザビームの長軸-短軸関係を維持するため、レーザビームの回転に対応する光路設計を必要としない利点がある。
更には、同図（ｃ）〜（ｅ）に示すように、中間のレーザ発光素子２ｂの支持ピンＰ１を、両端の２個のレーザ発光素子２ａ、２ｃの支持ピンＰ１を繋ぐ直線上から外れた位置に配置することで、これら３個の支持ピンＰ１をより大きく離間させて、効果的に放熱させる。
【００３７】
ここで、本例では、発光体２５からの発熱は、台座Ｐ１ａ、支持ピンＰ１、ベースプレート２３を介して支持部材２１ａ〜２１ｃへも伝達され、更には、支持部材２１ａ〜２１ｃからハウジング１１へも伝達される。
したがって、レーザ発光素子２ａ〜２ｃが発した熱は、支持部材２１ａ〜２１ｃ自体の吸熱や放熱、そして、ハウジング１１による吸熱や放熱によって、冷却される。
なお、ハウジング１１や支持部材２１ａ〜２１ｃは、合成樹脂や金属などによって成形することができるが、熱伝導性の高い材料であるのが好ましい。
【００３８】
レーザ発光素子２ａ〜２ｃは、それら自体の特性やレーザプロジェクタ１の設計上の必要性等から、動作による発熱量が相違する。
例えば、図６に示すように、レーザ発光素子２ａが波長５１５ｎｍの緑色（Ｇ）レーザ光を出力し、レーザ発光素子２ｂが波長４５０ｎｍの青色（Ｂ）レーザ光を出力し、レーザ発光素子２ｃが波長６３８ｎｍの赤色（Ｒ）レーザ光を出力する場合、１ｌｍの白色表示に要する各レーザ発光素子（ＬＤ）の出力は、Ｒレーザ発光素子２ｃ、Ｇレーザ発光素子２ａ、Ｂレーザ発光素子２ｂの順に大きく、それらの発熱量も同様な順である。
【００３９】
また、例えば、図６に示すように、同様な場合に、ＬＤの閾値電流が大きい順は、Ｇレーザ発光素子２ａ、Ｒレーザ発光素子２ｃ、Ｂレーザ発光素子２ｂの順に大きく、それらの発熱量も同様な順である。
また、例えば、図６に示すように、同様な場合に、ＬＤの発光量と電力の変換効率の劣る順は、Ｇレーザ発光素子２ａ、Ｂレーザ発光素子２ｂ、Ｒレーザ発光素子２ｃの順であり、それらの発熱量も同様な順である。
【００４０】
このようにレーザ発光素子２ａ〜２ｃの発熱量に相違があることに対応して、レーザ発光素子２ａ〜２ｃの配置及びそれらの支持ピンＰ１の配置を工夫している。
ここに、図５においても、レーザ発光素子２ａ〜２ｃのハウジング１１に対する位置関係は図１、図２及び図４と同様であり、紙面に対して左側が、ハウジング１１の体積が大きい側であり、走査ミラー１０が収容されている側である。
【００４１】
まず、図５に示す例で、Ｇレーザ発光素子２ａ、Ｒレーザ発光素子２ｃ、Ｂレーザ発光素子２ｂの順で発熱量が大きいとすると、同図（ｂ）〜（ｅ）に示すように、レーザ発光素子２ａ〜２ｃの内の最大発熱量のレーザ発光素子２ａをハウジング１１の端部に配置し、当該レーザ発光素子２ａの支持ピンＰ１を当該ハウジング１１の端部側に配置する。これにより、上記のように支持ピンＰ１の間隔が大きくなることに加えて、最大発熱量のレーザ発光素子２ａをハウジング１１の端部に配置することで、当該レーザ発光素子２ａに対するハウジング１１による放熱の効率を高めている。
更に、この例では、２番目に大きい発熱量のレーザ発光素子２１ｃを、最大発熱量のレーザ発光素子２１ａとの間に他のレーザ発光素子２１ｂを介在させて配置しており、比較的大きな発熱量のレーザ発光素子を離間させることで、冷却効率を高めている。
【００４２】
上記の例とは異なって、図５に示す例で、Ｒレーザ発光素子２ｃ、Ｇレーザ発光素子２ａ、Ｂレーザ発光素子２ｂの順で発熱量が大きいとすると、同図（ｂ）〜（ｅ）に示すように、レーザ発光素子２ａ〜２ｃの内の最大発熱量のレーザ発光素子２ｃをハウジング１１の体積が大きい側に配置し、当該レーザ発光素子２ｃの支持ピンＰ１を当該ハウジング１１の体積が大きい側に配置する。これにより、上記のように支持ピンＰ１の間隔が大きくなることに加えて、当該レーザ発光素子２ｃに対するハウジング１１による吸熱及び放熱の効率を高めている。
更に、この例では、２番目に大きい発熱量のレーザ発光素子２１ａを、最大発熱量のレーザ発光素子２１ｃとの間に他のレーザ発光素子２１ｂを介在させて配置しており、比較的大きな発熱量のレーザ発光素子を離間させることで、冷却効率を高めている。
【００４３】
このように最大発熱量のレーザ発光素子をハウジングの体積が大きい側に配置する態様は、最大発熱量のレーザ発光素子をハウジング１１の表面積が大きい側に配置する態様と同じ意義を有している。
また、最大発熱量のレーザ発光素子をハウジングの体積が大きい側に配置する態様は、走査ミラー１０を収容することでハウジング１１に体積が大きい側が形成され、また、光路や光学素子等を収容することでハウジング１１に体積が大きい側が形成される本例では、最大発熱量のレーザ発光素子を、ハウジング１１の走査ミラー１０を収容する部分側に配置した態様や、ハウジング１１の構造が複雑な部分側に配置した態様と同じ意義を有している。
【００４４】
上記の例から理解されるように、レーザ発光素子２ａ〜２ｃを、発光体２５から直接的に熱が伝わるそれらの支持ピンＰ１が互いに離間するように配置することで、レーザ発光素子２ａ〜２ｃの効果的な冷却を行なうことができる。更には、レーザ発光素子２ａ〜２ｃ及び支持ピンＰ１を、それらの発熱量の大小に応じてハウジング１１に配置することで、レーザ発光素子２ａ〜２ｃの発熱量に応じた効果的な冷却を行なうことができる。
【００４５】
上記では、複数のレーザ発光素子を横一列に並べて配置した例を説明したが、本発明はこのような配置態様に限定されるのもではなく、例えば、一部のレーザ発光素子を他のレーザ発光素子に対して直角に配置する態様、一部のレーザ発光素子を他のレーザ発光素子に対してハウジングの反対側に配置する態様、などといった種々な配置とすることができる。
また、上記では、互いに色成分が異なる３個のレーザ発光素子をハウジングに設けた例を説明したが、本発明は、このような態様に限定されるのもではなく、例えば、色成分を同じ又は違えた２個或いは４個以上のレーザ発光素子をハウジングに設けた態様などといった種々な態様とすることができる。
【符号の説明】
【００４６】
１：レーザプロジェクタ、  ２ａ〜２ｃ：レーザ発光素子、
１０：ＭＥＭＳ走査ミラー、  １１：ハウジング、
２０：光源装置、  ２５：発光体、
Ｐ１：支持ピン、  Ｐ１ａ：台座、
【図１】
2014115487.tif 000003
【図２】
2014115487.tif 000004
【図３】
2014115487.tif 000005
【図４】
2014115487.tif 000006
【図５】
2014115487.tif 000007
【図６】
2014115487.tif 000008